(57)【要約】【課題】天井埋込型スピーカシステムを天井に強固に取付けるための天井パンを有する従来の取付補助装置を、天井材の裏面から構造物が上方に突出しているような天井に適用すると、天井パンが天井材の裏面から離れてしまい、天井埋込型スピーカシステムの挟持片で天井材と天井パンとを挟み込んでも、天井埋込型スピーカシステムを強固に取付けることはできない。【解決手段】天井埋込型スピーカシステム用取付補助装置１０は、天井補強部材１１と、長尺部材２１とを具備する。天井補強部材１１は、平板状部１２と、この平板状部１２から直立するように形成された直立部１４とを有する。そして、直立部１４が長尺部材２１に対して上下方向に摺動して変位できる摺動状態と、直立部１４が長尺部材２１に対して上下方向に変位できないように固定される固定状態とを採ることができる。【選択図】      図１
2004266319.tif 000002
【特許請求の範囲】
【請求項１】
天井補強部材と、長尺部材とを具備し、
該天井補強部材は、天井板の裏面に水平に配される平板状部と、直立部とを有し、該平板状部の中央部に開口が形成され、該直立部は該平板状部から直立するように形成され、
該長尺部材は、水平面において伸延する方向に配され、
該直立部が該長尺部材に対して摺動状態と固定状態とを採ることができるように取り付けられ、
該摺動状態では、該直立部が該長尺部材に対して上下方向に摺動して変位でき、
該固定状態では、該直立部が該長尺部材に対して上下方向に変位できないように固定される、天井埋込型スピーカシステム用取付補助装置。
【請求項２】
該長尺部材を一対具備し、
該天井補強部材は、該直立部を一対有し、該一対の直立部は該開口を挟んで略対向する位置において該平板状部から直立するように形成され、
該一対の長尺部材は、水平面において略平行に、かつ、該一対の直立部に対応して配された、請求項１記載の天井埋込型スピーカシステム用取付補助装置。
【請求項３】
中間部材を具備し、
該中間部材が該長尺部材に取り付けられ、
該直立部は、該中間部材に対して上下方向に摺動して変位できる状態と、該中間部材に対して上下方向に変位できないように固定される状態とを採ることができ、
該直立部が、該中間部材を介して、該長尺部材に対して該摺動状態と該固定状態とを採ることができるように取り付けられた、請求項１又は２記載の天井埋込型スピーカシステム用取付補助装置。
【請求項４】
該中間部材が該長尺部材に対して第１状態と第２状態とを採ることができるように取り付けられ、
該第１状態では、該長尺部材の長手方向に該中間部材が摺動して変位でき、
該第２状態では、該長尺部材の長手方向に該中間部材が変位できないように固定される、請求項３記載の天井埋込型スピーカシステム用取付補助装置。
【請求項５】
該中間部材には、該長尺部材に取り付けるため第１取付部と、該直立部を取り付けるための第２取付部とが形成されており、
上下方向において該第１取付部と該第２取付部の位置が異なる、請求項３又は４記載の天井埋込型スピーカシステム用取付補助装置。
【請求項６】
該長尺部材が、該長尺部材の長手方向に帯状に延在する第１平面部と、該第１平面部と隣り合って該長尺部材の長手方向に帯状に延在する第２平面部と、該第２平面部と隣り合って該長尺部材の長手方向に帯状に延在する第３平面部とを備え、
該長尺部材の横断面において、該第１平面部、該第２平面部  および  該第３平面部が略コ字状をなし、
該第２平面部に該中間部材を取り付けるための取付部が形成された、請求項５記載の天井埋込型スピーカシステム用取付補助装置。
【請求項７】
該摺動状態では、該直立部が該長尺部材に対して該長尺部材の長手方向に摺動して変位でき、
該固定状態では、該直立部が該長尺部材に対して該長尺部材の長手方向に変位できないように固定される、請求項１又は２記載の天井埋込型スピーカシステム用取付補助装置。
【発明の詳細な説明】
【０００１】
【発明の属する技術分野】
この出願に係る発明は、天井埋込型スピーカシステムを天井に取り付けるための補助装置に関し、特に、天井裏面から上方に突出するように建築構造体が配されている場合にも、天井埋込型スピーカシステムを強固に天井に取り付けることができるような補助装置に関する。
【０００２】
【従来の技術】
天井埋込型スピーカシステムには、天井材を挟持片で挟み込むことによって、天井材に取り付けられるものがあるが、天井埋込型スピーカシステムの重量が大きい場合や天井材が薄い場合には、十分な強度で取り付けることができないこともある。
【０００３】
そこで、強固な取付のため、および、天井埋込型スピーカシステムの落下防止のための取付補助装置が使用されることがある（例えば、非特許文献１、２参照）。
【０００４】
図１１は、このような取付補助装置の一例を示す斜観図である。この取付補助装置１１０は、主に、天井パン１１１と、一対の支持レール１２１とで構成されている。天井パン１１１は支持レール１２１の長手方向の任意位置に固定することができる。
【０００５】
図１２は、この取付補助装置１１０を用いて、天井埋込型スピーカシステム２００を天井へ取り付けたときの状態を示す、縦断面図である。
【０００６】
この天井の構造は、米国において採用されるドロップシーリング構造である。Ｔグリッドと呼ばれるＴ型横断面の鉄骨構造１３０の上に天井材１３１が配置されており、取付補助装置１１０はこの天井材１３１の上に配置されている。そして、天井埋込型スピーカユニット２００が天井材１３１に形成された開口を貫通するようにして取り付けられている。この天井埋込型スピーカユニット２００は、前面パネルと一体化した固定挟持片２０１とその後方にある可動挟持片２０２とを有する。ねじ２０３を締め付け方向に回すと可動挟持片２０２が下降し、固定挟持片２０１と可動挟持片２０２とが、天井材１３１と天井パン１１１とを挟み込む。
【０００７】
天井パン１１１が天井材１３１と一緒に挟み込まれるので、多少大きな力で挟み込んでも天井材１３１は破損することがない。よって、天井埋込型スピーカシステム２００を天井に強固に取り付けることができる。また、なんらかの原因により天井材１３１がＴ型横断面の鉄骨構造１３０から落下したとしても、支持レール１２１が該鉄骨構造１３０に引っ掛かるので、天井埋込型スピーカシステム２００が落下することはない。
【０００８】
【非特許文献１】
「コントロール  コントラクター  シーリング  ラウドスピーカーズ  オーナーズ  マニュアル（Ｃｏｎｔｒｏｌ  Ｃｏｎｔｒａｃｔｏｒ  Ｃｅｉｌｉｎｇ  Ｌｏｕｄｓｐｅａｋｅｒｓ  Ｏｗｎｅｒ’ｓ  Ｍａｎｕａｌ）」、ジェイビーエル  プロフェッショナル（ＪＢＬ  Ｐｒｏｆｅｓｓｉｏｎａｌ）、ｐ．７
【非特許文献２】
「ボーズ  フリースペース  モデル  ８  アンド  モデル  ３２  ラウドスピーカーズ  インストーラーズ  ガイド（Ｂｏｓｅ  ｆｒｅｅｓｐａｃｅ  Ｍｏｄｅｌ  ８  Ａｎｄ  Ｍｏｄｅｌ  ３２  Ｌｏｕｄｓｐｅａｋｅｒｓ  Ｉｎｓｔａｌｌｅｒ’ｓ  Ｇｕｉｄｅ）」、ボーズ  コーポレーション（Ｂｏｓｅ  Ｃｏｒｐｏｒａｔｉｏｎ）、２００２年５月６日、ｐ．４〜１２
【０００９】
【発明が解決しようとする課題】
しかし、天井の構造には、図１２のようなドロップシーリング構造のみならず、種々の構造がある。例えば、天井裏に図１３（ａ）に示すようなＭバーとよばれる構造体１３３や、図１３（ｂ）に示すようなＣチャンネルと呼ばれる構造体１３６が配される天井構造もある。
【００１０】
図１３（ｃ）は、平行に配されたＭバー１３３に天井材１３４がビス止めされる構造の天井構造に、図１１の取付補助装置１１０を配置したときの縦断面図である。図１３（ｃ）から理解されるように、この天井構造は図１２のドロップシーリング構造とは異なり、天井材１３４の裏面から構造物（Ｍバー）１３３が上方に突出している。よって、取付補助装置１１０の天井パン１１１が天井材１３４の裏面から離れている。ここに図１２に示すような天井埋込型スピーカシステム２００を取り付けて固定挟持片２０１と可動挟持片２０２とで天井材１３４と天井パン１１１とを強く挟み込むと、天井材１３４の破損を招く。よって、天井埋込型スピーカシステム２００を強固に取付けることができない。
【００１１】
図１３（ｄ）は、平行に配されたＭバー１３３に天井材１３４がビス止めされ、さらにこのＭバー１３３の上に複数のＣチャンネル１３６がＭバー１３３と直交する方向に配される構造の天井構造に、取付補助装置１１０を配置したときの縦断面図である。図１３（ｄ）から理解されるように、天井材１３４の裏面から構造物（Ｍバー１３３とＣチャンネル１３６）が上方にさらに大きく突出している。取付補助装置１１０の天井パン１１１は天井材１３４の裏面からさらに大きく離れているので、天井埋込型スピーカシステムを強固に取付けることはできない。
【００１２】
本願発明は、天井材裏面から構造物が上方に突出しているような天井構造であっても、天井埋込型スピーカシステムを強固に取り付けることができ、しかも天井埋込型スピーカシステムの落下を防止することができるような、天井埋込型スピーカシステム用取付補助装置を提供することを目的とする。
【００１３】
【課題を解決するための手段】
上記課題を解決するために、この出願発明に係る天井埋込型スピーカシステム用取付補助装置は、天井補強部材と、長尺部材とを具備し、該天井補強部材は、天井板の裏面に水平に配される平板状部と、直立部とを有し、該平板状部の中央部に開口が形成され、該直立部は該平板状部から直立するように形成され、該長尺部材は、水平面において伸延する方向に配され、該直立部が該長尺部材に対して摺動状態と固定状態とを採ることができるように取り付けられ、該摺動状態では、該直立部が該長尺部材に対して上下方向に摺動して変位でき、該固定状態では、該直立部が該長尺部材に対して上下方向に変位できないように固定される（請求項１）。
【００１４】
天井材裏面から構造物が上方に突出しているような天井構造にこの装置を適用する場合、長尺部材をこの構造物上に載せた状態で、直立部を摺動状態にする。そして、平板状部が天井材裏面に接するような位置にまで、直立部を上下方向に変位させ、その位置で固定状態にする。そうすると、長尺部材が構造物上に当接し、かつ、平板状部が天井材裏面に当接した状態とすることができる。よって、ここに天井埋込型スピーカシステムを強固に取り付けることができ、しかも、天井埋込型スピーカシステムの落下を防止することができる。
【００１５】
上記天井埋込型スピーカシステム用取付補助装置において、該長尺部材を一対具備し、該天井補強部材は、該直立部を一対有し、該一対の直立部は該開口を挟んで略対向する位置において該平板状部から直立するように形成され、該一対の長尺部材は、水平面において略平行に、かつ、該一対の直立部に対応して配されていてもよい（請求項２）。このように長尺部材を一対とすると、取り付け状態を安定させることができる。この場合、一対の長尺部材を同一構造の部材とすると、部品の共通化を図ることができ、製造コストを削減できる。また、水平面内において１８０度反転させても同一の取り付け状態とすることができるので、取り付け時の方向性の自由度が向上する。
【００１６】
上記天井埋込型スピーカシステム用取付補助装置において、中間部材を具備し、該中間部材が該長尺部材に取り付けられ、該直立部は、該中間部材に対して上下方向に摺動して変位できる状態と、該中間部材に対して上下方向に変位できないように固定される状態とを採ることができ、該直立部が、該中間部材を介して、該長尺部材に対して該摺動状態と該固定状態とを採ることができるように取り付けられるようにしてもよい（請求項３）。
【００１７】
また上記天井埋込型スピーカシステム用取付補助装置において、該中間部材が該長尺部材に対して第１状態と第２状態とを採ることができるように取り付けられ、該第１状態では、該長尺部材の長手方向に該中間部材が摺動して変位でき、該第２状態では、該長尺部材の長手方向に該中間部材が変位できないように固定されるようにしてもよい（請求項４）。このようにすると、長尺部材の長手方向において任意の位置に天井補強部材を位置させることができる。
【００１８】
また上記天井埋込型スピーカシステム用取付補助装置において、該中間部材には、該長尺部材に取り付けるため第１取付部と、該直立部を取り付けるための第２取付部とが形成されており、上下方向において該第１取付部と該第２取付部の位置が異なるようにしてもよい（請求項５）。このようにすると、第２取付部が第１取付部よりも上になるように中間部材を長尺部材に取り付けたときと、第２取付部が第１取付部よりも下になるように中間部材を長尺部材に取り付けたときとで、長尺部材に対する第２取付部の上下方向位置が異なるようにすることができる。よって、長尺部材に対する天井補強部材の配置高さの自由度が向上し、天井材裏面からの構造物の上方への種々の突出寸法に対応することができるようになる。
【００１９】
また上記天井埋込型スピーカシステム用取付補助装置において、該長尺部材が、該長尺部材の長手方向に帯状に延在する第１平面部と、該第１平面部と隣り合って該長尺部材の長手方向に帯状に延在する第２平面部と、該第２平面部と隣り合って該長尺部材の長手方向に帯状に延在する第３平面部とを備え、該長尺部材の横断面において、該第１平面部、該第２平面部  および  該第３平面部が略コ字状をなし、該第２平面部に該中間部材を取り付けるための取付部が形成されていてもよい（請求項６）。このようにすると、長尺部材を、第１平面部を下向きにして配置することもできるし、第３平面部を下向きにして配置することもできる。そして、中間部材を長尺部材に取り付けた状態で第１平面部を下向きにしたときと、そのように中間部材を長尺部材に取り付けた状態のままで長尺部材を上下反転させて第３平面部を下向きにしたときとで、中間部材の第２取付部の上下方向位置が異なるようにすることができる。
【００２０】
また上記天井埋込型スピーカシステム用取付補助装置において、該摺動状態では、該直立部が該長尺部材に対して該長尺部材の長手方向に摺動して変位でき、該固定状態では、該直立部が該長尺部材に対して該長尺部材の長手方向に変位できないように固定されるようにしてもよい（請求項７）。
【００２１】
【発明の実施の形態】
この出願発明の実施形態を図面を参照しながら説明する。まず図１〜４を参照しつつ、本願発明の一実施形態の天井埋込型スピーカシステム用取付補助装置を説明する。
【００２２】
図１は、天井埋込型スピーカシステム用取付補助装置１０を構成する各部材の組み立て図であり、（ａ）は天井補強部材１１、長尺部材２１、中間部材２５の組み立て方を示す図であり、（ｂ）は天井補強部材１１と中間部材２５の組み立て方を示す図である。
【００２３】
天井埋込型スピーカシステム用取付補助装置１０は、主に、一の天井補強部材１１と一対の長尺部材２１と一対の中間部材２５とで構成されるのであるが、図１（ａ）では、長尺部材２１と中間部材２５は一方のみが表れている。
【００２４】
図１（ａ）に示すように、天井補強部材１１は、円環状の平板状部１２と、平板状部１２の周縁から直立する一対の直立部１４とを有する。平板状部１２に対して直立部１４は略直交する。図１（ａ）において、平板状部１２は水平面に沿って配されており、直立部１４は垂直面に沿って配されている。平板状部１２は円環状であり、その中央部には開口１３が形成されている。直立部１４はこの開口１３を挟んで略対向する位置に形成されている。各直立部１４には上下方向に伸延する一対のスリット孔１５が形成されている。このスリット孔１５は略全長に渡り略一定幅に形成されているが、下端において、幅の大きな膨大部１６が形成されている。
【００２５】
長尺部材２１は、金属製の棒状の部材である。長尺部材２１の横断面形状はＬ字型であり、その側面２２には長尺部材２１の長手方向に一定間隔で複数の取付孔２４が形成されている。この取付孔２４の内周面には雌ねじが形成されている。
【００２６】
中間部材２５は金属製の板状の部材である。中間部材２５には、第１取付部たる第１取付孔２６が一対に形成され、また、第２取付部たる第２取付孔２７が一対に形成されている。第１取付孔２６は中間部材２５を長尺部材２１に取り付けるための孔であり、横方向に伸延するスリット状に形成されている。第２取付孔２７は、第１取付孔２６よりも上方位置に形成されている。この第２取付孔２７は直立部１４を取り付けるための孔であり、その内周面には雌ねじが形成されている。
【００２７】
長尺部材２１に中間部材２５を取り付けるには、ボルト２９を中間部材２５の第１取付孔２６に貫通させてから、長尺部材２１の取付孔２４に螺合させる。長尺部材２１の複数の取付孔２４のうちのいずれにボルト２９を螺合させるかは任意である。第１取付孔２６の長さ（スリットの長さ）は、長尺部材２１に複数形成された取付孔２４の間隔よりも長い。
【００２８】
ボルト２９を中間部材２５の第１取付孔２６に貫通させてから、長尺部材２１の取付孔２４に螺合させて、ボルト２９を締め込む前に、長尺部材２１の長手方向に中間部材２５を摺動して変位させつつ、中間部材２５の取付位置の微調整を行うことができる。そして、中間部材２５を所望の位置に定めてからボルト２９を締め込むと、中間部材２５は長尺部材２１の長手方向に変位できないように固定される。
【００２９】
中間部材２５に直立部１４を取り付けるには、ボルト１９を直立部１４のスリット孔１５に貫通させてから、中間部材２５の第２取付孔２７に螺合させる。ボルト１９を直立部１４のスリット孔１５に貫通させてから、中間部材２５の第２取付孔２７に螺合させて、ボルト１９を締め込む前に、中間部材２５に対して上下方向に直立部１４を摺動して変位させつつ、直立部１４の取付位置の微調整を行うことができる。そして、直立部１４を所望の位置に定めてからボルト１９を締め込むと、直立部１４は中間部材２５に対して上下方向に変位できないように固定される。
【００３０】
このようにして、長尺部材２１に中間部材２５が取り付けられ、中間部材２５に直立部１４が取り付けられる。第１取付孔２６の長さ（スリットの長さ）は、長尺部材２１に複数形成された取付孔２４の間隔よりも長いので、中間部材２５は長尺部材２１に対して長尺部材２１の長手方向位置を任意に定めて固定することができる。また、直立部１４は中間部材２５に対して上下方向位置を任意に定めて固定することができる。よって、長尺部材２１に対して天井補強部材１１を、上下方向位置および長尺部材２１の長手方向位置を任意に定めて固定することができる。
【００３１】
図１（ａ）では、天井補強部材１１の一対の直立部１４のうちの一方の直立部１４に対応して取り付けられる長尺部材２１と中間部材２５のみ示されているが、他方の直立部１４にも長尺部材（図示せず）と中間部材（図示せず）が同様に取り付けられる。これにより、一対の長尺部材２１は水平面において略平行に配される。
【００３２】
なお、中間部材２５に直立部１４を取り付けるには、図１（ｂ）に示すようにしてもよい。つまり、まず中間部材２５の第２取付孔２７にボルト１９を螺合させる。直立部１４のスリット孔１５はその下端の膨大部１６においてのみボルト１９の頭が貫通できる幅に形成されているので、次にボルト１９の頭をスリット孔１５の膨大部１６に貫通させる。そして、直立部１４を中間部材２５に対して上下方向に摺動して変位させつつ、直立部１４の取付位置の微調整を行い、直立部１４を所望の位置に定めてからボルト１９を締め込むと、直立部１４は中間部材２５に対して上下方向に変位できないように固定される。
【００３３】
図２は、天井埋込型スピーカシステム用取付補助装置１０の図であり、（ａ）は斜観図、（ｂ）は天井に取り付けた状態における縦断面図である。図２において、天井埋込型スピーカシステム用取付補助装置１０は、天井補強部材１１の平板状部１２の底面が長尺部材２１の底面と略一致する高さ位置に固定されている。
【００３４】
図２（ｂ）の天井の構造は、米国において採用されるドロップシーリング構造である。Ｔグリッドと呼ばれるＴ型横断面の鉄骨構造３０の上に天井材３１が配置されており、取付補助装置１１はこの天井材３１の上に配置されている。長尺部材２１の長さは天井材３１の幅と略同一であり、長尺部材２１の両端近傍部分が、隣り合うＴ型横断面の鉄骨構造３０の上に位置するように配置されている。天井埋込型スピーカユニット（図示せず）は、天井材３１に形成された開口３２を貫通するようにして取り付けられる。天井補強部材１１の平板状部１２は天井材３１の裏面に当接しているので、開口３２に取り付けられる天井埋込型スピーカユニットによって、天井材３１と平板状部１２が強く挟み込まれても、天井材３１は破損することがない。よって、天井埋込型スピーカシステムを天井に強固に取り付けることができる。
【００３５】
また、なんらかの原因により天井材３１がＴ型横断面の鉄骨構造３０から落下したとしても、長尺部材２１がこの鉄骨構造３０の内側にはまり込むので、天井埋込型スピーカシステムが落下することはない。
【００３６】
図３は、天井埋込型スピーカシステム用取付補助装置１０等の図であり、（ａ）は天井埋込型スピーカシステム用取付補助装置１０の斜観図、（ｂ）は天井に取り付けた状態における天井埋込型スピーカシステム用取付補助装置１０の縦断面図、（ｃ）はＭバー３３の斜観図である。図３（ａ）（ｂ）に示すように、天井補強部材１１の平板状部１２は、その底面が長尺部材２１の底面よりも下方に位置するように固定されている。
【００３７】
図３（ｂ）の天井の構造は、日本において採用されることの多い天井構造であって、天井裏に図３（ｃ）に示すようなＭバー３３が平行に配され、このＭバー３３に天井材３４がビス止めされる構造である。図３（ｂ）から理解されるように、この天井構造では天井材３４の裏面から構造物（Ｍバー）３３が上方に突出しているのであるが、天井埋込型スピーカシステム用取付補助装置１０の長尺部材２１は、その両端近傍部分が、隣り合うＭバー３３上に当接するように配置され、平板状部１２は天井材３４の裏面に当接するように配置されている。天井埋込型スピーカユニット（図示せず）は、天井材３４に形成された開口３５を貫通するようにして取り付けられ、天井材３４と平板状部１２とを挟み込む。前述したとおり、平板状部１２は天井材３４の裏面に当接しているので、天井材３４と平板状部１２とが強く挟み込まれても天井材３４は破損することがない。よって、天井埋込型スピーカシステムを天井に強固に取り付けることができる。
【００３８】
また、長尺部材２１の両端近傍部分がＭバー３３上に当接するように配置されるので、天井埋込型スピーカシステムの荷重はＭバー３３によって受けられ、天井材３４に過重の負荷を作用させることがない。
【００３９】
また、なんらかの原因により天井材３４がＭバー３３から落下したとしても、長尺部材２１がＭバー３３に引っ掛かるので、天井埋込型スピーカシステムが落下することはない。
【００４０】
図４は、天井埋込型スピーカシステム用取付補助装置１０等の図であり、（ａ）は天井埋込型スピーカシステム用取付補助装置１０の斜観図、（ｂ）は天井に取り付けた状態における天井埋込型スピーカシステム用取付補助装置１０の縦断面図、（ｃ）はＭバー３３の斜観図、（ｄ）はＣチャンネル３６の斜観図である。図４（ａ）（ｂ）の天井埋込型スピーカシステム用取付補助装置１０では、図３（ａ）（ｂ）に示すよりも、天井補強部材１１の平板状部１２の底面が長尺部材２１の底面よりさらに下方に位置している。天井補強部材１１の平板状部１２をより下方に位置させるようにするために、長尺部材２１に対する中間部材２５の取り付け方向が、図３（ａ）（ｂ）に示す取り付け方向とは異なっている。つまり、中間部材２５が上下逆向きになっている。これにより、長尺部材２１に対して中間部材２５の第２取付孔２７がより下方に位置し、その結果、長尺部材２１に対して天井補強部材１１の平板状部１２をより下方位置に固定させることができるようになっている。
【００４１】
図４（ｂ）の天井の構造は、日本において採用されることの多い天井構造であって、天井裏に図４（ｃ）に示すようなＭバー３３が平行に配され、このＭバー３３に天井材３４がビス止めされ、さらにこのＭバー３３の上に図４（ｄ）に示すような複数のＣチャンネル３６がＭバー３３と直交する方向に配される構造である。
【００４２】
図４（ｂ）から理解されるように、この天井構造では天井材３４の裏面から構造物（Ｍバー３３とＣチャンネル３６によって構成される構造物）が、図３（ｂ）に示すよりもさらに大きく上方に突出しているのであるが、天井埋込型スピーカシステム用取付補助装置１０の長尺部材２１は、その両端近傍部分が、隣り合うＣチャンネル３６上に当接するように配置され、平板状部１２は天井材３４の裏面に当接するように配置されている。天井埋込型スピーカユニット（図示せず）は、天井材３４に形成された開口３５を貫通するようにして取り付けられて、天井材３４と平板状部１２を挟み込む。前述したとおり、平板状部１２は天井材３４の裏面に当接しているので、天井材３４と平板状部１２とが強く挟み込まれても天井材３４は破損することがない。よって、天井埋込型スピーカシステムを天井に強固に取り付けることができる。
【００４３】
また、長尺部材２１の両端近傍部分がＣチャンネル３６上に当接するように配置されるので、天井埋込型スピーカシステムの荷重はＭバー３３やＣチャンネル３６によって受けられ、天井材３４に過重の負荷を作用させることがない。
【００４４】
また、なんらかの原因により天井材３４がＭバー３３やＣチャンネル３６で構成される構造物から落下したとしても、長尺部材２１がＣチャンネル３６に引っ掛かるので、天井埋込型スピーカシステムが落下することはない。
【００４５】
なお、図１〜４で説明した天井埋込型スピーカシステム用取付補助装置１０は、一対の長尺部材２１、一対の直立部１４が略対称に配されている。これにより、天井埋込型スピーカシステム用取付補助装置１０の取り付け状態が安定する。また、一対の長尺部材２１は同一の構造であるから、部品共通化により製造コストを削減できる。さらに、水平面内において天井埋込型スピーカシステム用取付補助装置１０を１８０度反転させても同一の取り付け状態とすることができるので、取り付け時の方向性の自由度が向上する。
【００４６】
以上、図１〜４を参照しつつ、本願発明の一実施形態の天井埋込型スピーカシステム用取付補助装置を説明した。
【００４７】
次に図５〜９を参照しつつ、本願発明の他の種々の実施形態を説明する。
【００４８】
図５は、中間部材２５が取り付けられた長尺部材５０の図であり、（ａ）は斜観図、（ｂ）（ｃ）は側面図である。横断面がＬ字型である図１の長尺部材２１とは異なり、図５の長尺部材５０の横断面は略コ字状である。図５から理解されるように、長尺部材５０は第１平面部たる底面５１と、第２平面部たる側面５２と、第３平面部たる天面５３とを有する。底面５１、側面５２、天面５３のいずれもが外向きの面であり、長尺部材５０の長手方向に帯状に延在している。底面５１は側面５２と隣り合い、天面５３は側面５２と隣り合う。底面５１、側面５２、天面５３は、長尺部材５０の横断面において略コ字状をなす。図１の長尺部材２１と同様に、長尺部材５０の側面５２には、中間部材２５を取り付けるための取付部たる取付孔２４が複数、一定間隔で形成されており、この取付孔２４の内周面には雌ねじが形成されている。
【００４９】
この長尺部材５０に中間部材２５を図５（ａ）のように取り付け、底面５１を下向きにして天井裏に配置すると、図５（ｂ）にその側面図を示すように、中間部材２５の第２取付孔２７は長尺部材５０よりも上方に位置する。一方、長尺部材５０に中間部材２５を図５（ａ）のように取り付けたまま、天面５３を下向きにして天井裏に配置すると、図５（ｃ）にその側面図を示すように、中間部材２５の第２取付孔２７は長尺部材５０よりも下方に位置する。
【００５０】
図５（ｃ）のように天面５３を下向きにして長尺部材５０を天井裏に配置すると、長尺部材５０に対して天井補強部材（図示せず）をより下方に位置させることができるので、天井材の裏面から構造物が上方に大きく突出した天井構造に対応できる。
【００５１】
また、この長尺部材５０に中間部材２５を図５（ａ）のように取り付けたままで、底面５１を下向きにするか、天面５３を下向きにするかを選択するだけで、長尺部材５０に対する中間部材２５の第２取付孔２７の上下方向位置を大きく変更させることができる。つまり、長尺部材５０に対して中間部材２５を取り外して上下方向を反対にしてから取り付け直すという作業は不要である。
【００５２】
以上、図５を参照しつつ、本願発明の他の実施形態を説明した。
【００５３】
次に図６を参照しつつ、本願発明のさらに他の実施形態を説明する。
【００５４】
図６は、天井埋込型スピーカシステム用取付補助装置６０を構成する各部材（天井補強部材１１、長尺部材６１）の組み立て図である。
【００５５】
この天井埋込型スピーカシステム用取付補助装置６０の天井補強部材１１は、図１の天井補強部材１１と同一の構造である。
【００５６】
長尺部材６１は金属製の棒状の部材であり、その横断面はＬ字型である。長尺部材６１の側面６２に形成された取付孔６４は、長尺部材６１の長手方向に伸延するスリット孔である。
【００５７】
板状部材６６は２箇所に穿孔されており、これらの孔６７の内周面には雌ねじが形成されている。
【００５８】
天井補強部材１１の長尺部材６１に対する取り付けは、天井補強部材１１の直立部１４のスリット孔１５と長尺部材６１の取付孔（スリット孔）６４とを貫通するボルト１９を、板状部材６６に螺合させることによりなされる。ボルト１９を板状部材６１に対して強く締め込むことなく螺合させた状態においては、長尺部材６１の長手方向に直立部１４を摺動して変位させることもでき、長尺部材６１に対して上下方向に直立部１４を摺動して変位させることもできる。よって、長尺部材６１の長手方向においても上下方向においても、直立部１４の取付位置を任意に設定でき、微調整を行うこともできる。そして、直立部１４を所望の位置に定めてからボルト１９を締め込むと、直立部１４は長尺部材６１の長手方向に変位できないように、かつ、上下方向にも変位できないように固定される。
【００５９】
なお、天井補強部材１１には一対の直立部１４が形成されているのであるが、図６においてはそのうちの一方に対応する長尺部材６１のみが表れている。しかし他方の直立部においても、同様の長尺部材が同様の形態で取り付けられる。
【００６０】
以上、図６を参照しつつ、本願発明のさらに他の実施形態を説明した。
【００６１】
次に図７を参照しつつ、本願発明のさらに他の実施形態を説明する。
【００６２】
図７は、天井埋込型スピーカシステム用取付補助装置７０を構成する各部材（天井補強部材１１、長尺部材７１）の組み立て図である。
【００６３】
この天井埋込型スピーカシステム用取付補助装置７０は、図６の天井埋込型スピーカシステム用取付補助装置６０とほぼ同様に構成されているが、長尺部材の形状のみが異なっている。つまり、図６の天井埋込型スピーカシステム用取付補助装置６０の長尺部材６１の横断面形状がＬ字型であったのに対し、図７の天井埋込型スピーカシステム用取付補助装置７０の長尺部材７１の横断面形状はコ字型である。よって、図７の天井埋込型スピーカシステム用取付補助装置７０において、板状部材６６は長尺部材７１の内部に入り込む。
【００６４】
なお、天井補強部材１１には一対の直立部１４が形成されているのであるが、図７においてはそのうちの一方に対応する長尺部材７１のみが表れている。しかし他方の直立部においても、同様の長尺部材が同様の形態で取り付けられる。
【００６５】
以上、図７を参照しつつ、本願発明のさらに他の実施形態を説明した。
【００６６】
次に図８を参照しつつ、本願発明のさらに他の実施形態を説明する。
【００６７】
図８は、天井埋込型スピーカシステム用取付補助装置８０を構成する各部材（天井補強部材１１、長尺部材２１）の組み立て図である。
【００６８】
この天井埋込型スピーカシステム用取付補助装置８０の天井補強部材１１と長尺部材２１は、図１の天井補強部材１１と長尺部材２１と同一の構造である。図８の天井埋込型スピーカシステム用取付補助装置８０では、図１の天井埋込型スピーカシステム用取付補助装置１０と異なり、中間部材を用いていない。
【００６９】
天井補強部材１１の長尺部材２１に対する取り付けは、天井補強部材１１の直立部１４のスリット孔１５を貫通するボルト１９を、長尺部材２１の取付孔（その内周面には雌ねじが形成されている。）２４に螺合させることによりなされる。ボルト１９を長尺部材２１に対して強く締め込むことなく螺合させた状態においては、長尺部材２１に対して上下方向に直立部１４を摺動して変位させることができる。よって、上下方向において直立部１４の取付位置を任意に設定でき、微調整を行うこともできる。そして、直立部１４を所望の位置に定めてからボルト１９を締め込むと、直立部１４は長尺部材２１に対して上下方向に変位できないように固定される。
【００７０】
この天井埋込型スピーカシステム用取付補助装置８０では、長尺部材２１の長手方向において直立部１４の位置を微調整することはできないが、長尺部材２１に形成された複数の取付孔２４の間隔を単位として、長尺部材２１の長手方向において直立部１４の位置を調整することはできる。
【００７１】
なお、天井補強部材１１には一対の直立部１４が形成されているのであるが、図８においてはそのうちの一方に対応する長尺部材２１のみが表れている。しかし他方の直立部においても、同様の長尺部材が同様の形態で取り付けられる。
【００７２】
以上、図８を参照しつつ、本願発明のさらに他の実施形態を説明した。
【００７３】
次に図９を参照しつつ、本願発明のさらに他の実施形態を説明する。
【００７４】
図９は、天井埋込型スピーカシステム用取付補助装置９０を構成する各部材（天井補強部材９１、長尺部材２１、中間部材９６）の組み立て図である。
【００７５】
この天井埋込型スピーカシステム用取付補助装置９０の天井補強部材９１は、図１の天井補強部材１１と異なり、直立部９４にはスリット孔は形成されておらず、ボルト１９の軸よりも若干大径の円孔９５が形成されている。その他の構造は、図１の天井補強部材１１と同様である。
【００７６】
この天井埋込型スピーカシステム用取付補助装置９０の長尺部材２１は、図１の長尺部材２１と同様の構造である。
【００７７】
この天井埋込型スピーカシステム用取付補助装置９０の中間部材９６は、図１の中間部材２５と異なり、ここに形成された第２取付部たる第２取付孔９７は上下方向に伸延するスリット孔である。その他の構造は、図１の中間部材２５と同様である。
【００７８】
板状部材６６は、図６の板状部材６６と同様の構造である。
【００７９】
天井補強部材９１の長尺部材２１に対する取り付けは、長尺部材２１に中間部材９６をボルト２９で取り付け、さらに、天井補強部材９１の直立部９４の円孔９５と中間部材９６の第２取付孔（スリット孔）９７とを貫通するボルト１９を板状部材６６に螺合させることによりなされる。
【００８０】
ボルト１９を板状部材６６に対して強く締め込むことなく螺合させた状態においては、長尺部材２１に対して上下方向に直立部９４を摺動して変位させることができる。よって、上下方向において直立部９４の取付位置を任意に設定でき、微調整を行うこともできる。そして、直立部９４を所望の位置に定めてからボルト１９を締め込むと、直立部９４は長尺部材２１に対して上下方向に変位できないように固定される。
【００８１】
なお、天井補強部材９１には一対の直立部９４が形成されているのであるが、図９においてはそのうちの一方に対応する長尺部材２１のみが表れている。しかし他方の直立部においても、同様の長尺部材が同様の形態で取り付けられる。
【００８２】
以上、図９を参照しつつ、本願発明のさらに他の実施形態を説明した。
【００８３】
次に図１０を参照しつつ、天井裏における天井埋込型スピーカシステム用取付補助装置の平面的な配置形態を説明する。図１０は、天井裏に配置された天井埋込型スピーカシステム用取付補助装置１０の平面図であり、（ａ）は、長尺部材２１の長さがＭバー３３の配置間隔よりもわずかに長い場合の配置形態を、（ｂ）は、長尺部材２１の長さがＭバー３３の配置間隔よりもかなり長い場合の配置形態を示す。
【００８４】
図１０の天井埋込型スピーカシステム用取付補助装置１０の構造は、図１に示す天井埋込型スピーカシステム用取付補助装置１０と同様であり、この天井埋込型スピーカシステム用取付補助装置１０が取り付けられた天井の構造は、図３（ｂ）に示す天井と同様である。
【００８５】
図１０（ａ）を参照すると、天井裏にはＭバー３３が平行に配されており、長尺部材２１がＭバー３３上に当接するように配置されている。長尺部材２１の長さはＭバー３３の配置間隔よりわずかに長いので、長尺部材２１の両端近傍部分がＭバー３３上に当接している。
【００８６】
このように長尺部材２１の長さがＭバー３３の配置間隔よりわずかに長い場合には、長尺部材２１をＭバー３３に対し直交する方向に配置すれば、長尺部材２１の両端近傍部分がＭバー３３上に当接することとなる。ところが、長尺部材２１の長さがＭバー３３の配置間隔よりもかなり長い場合には、長尺部材２１をＭバー３３に対し直交する方向に配置すれば、長尺部材２１はＭバー３３を大きくはみ出す。すると、天井裏に他の装置（例えば照明装置）が配置されているような場合、長尺部材２１が該装置と干渉することもある。かかる事態を防止するためには、図１０（ｂ）のように長尺部材を配置すればよい。
【００８７】
図１０（ｂ）を参照すると、天井裏にはＭバー３３が平行に配されており、長尺部材２１がＭバー３３上に当接するように配置されている。長尺部材２１の長さはＭバー３３の配置間隔よりかなり長い。そこで、Ｍバー３３に対して長尺部材２１を斜めに配置することによって、長尺部材２１がＭバー３３から大きくはみ出すことがないようにしている。
【００８８】
なお、図１０（ａ）の状態と図１０（ｂ）の状態では、長尺部材２１の長手方向における天井補強部材１１の位置が異なっている。
【００８９】
以上、図１０を参照しつつ、天井裏における天井埋込型スピーカシステム用取付補助装置の平面的な配置形態を説明した。
【００９０】
以上、図１〜１０を参照しつつ、本願発明の種々の実施形態を説明した。
【００９１】
上記実施形態において、天井埋込型スピーカシステム用取付補助装置は、一対の長尺部材と一対の直立部とを対称構造のものとして備えている。しかし、これらを対称構造とする必要はなく、非対称の構造としてもよい。また、これらを一対とする必要もなく、一の長尺部材と一の直立部とを備えるように構成してもよい。
【００９２】
また、上記実施形態においては天井補強部材は環状の平板状部を有する。しかし、このような平板状部の一部を切り欠くことにより平板状部を略Ｃ字形状に形成してもよい。略Ｃ字形状の平板状部においても、中央の開放部分は平板状部の「開口」に相当する。また、平板状部を折り畳み可能な構造としてもよい。このようにすることにより、天井埋込型スピーカシステムを取り付けるために天井材に形成された開口を、天井補強部材が通りやすくなり、施工性を向上させることができる。
【００９３】
【発明の効果】
本願発明は、以上説明したような形態で実施され、本願発明によれば、天井材の裏面から構造物が上方に突出しているような天井構造であっても、天井埋込型スピーカシステムを強固に取り付けることができ、しかも天井埋込型スピーカシステムの落下を防止することができる。
【図面の簡単な説明】
【図１】天井埋込型スピーカシステム用取付補助装置を構成する各部材の組み立て図であり、（ａ）は天井補強部材、長尺部材、中間部材の組み立て方を示す図であり、（ｂ）は天井補強部材と中間部材の組み立て方を示す図である。
【図２】天井埋込型スピーカシステム用取付補助装置の図であり、（ａ）は斜観図、（ｂ）は天井に取り付けた状態における縦断面図である。
【図３】天井埋込型スピーカシステム用取付補助装置等の図であり、（ａ）は天井埋込型スピーカシステム用取付補助装置の斜観図、（ｂ）は天井に取り付けた状態における天井埋込型スピーカシステム用取付補助装置の縦断面図、（ｃ）はＭバーの斜観図である。
【図４】天井埋込型スピーカシステム用取付補助装置等の図であり、（ａ）は天井埋込型スピーカシステム用取付補助装置の斜観図、（ｂ）は天井に取り付けた状態における天井埋込型スピーカシステム用取付補助装置の縦断面図、（ｃ）はＭバーの斜観図、（ｄ）はＣチャンネルの斜観図である。
【図５】中間部材が取り付けられた長尺部材の図であり、（ａ）は斜観図、（ｂ）（ｃ）は側面図である。
【図６】天井埋込型スピーカシステム用取付補助装置を構成する各部材の組み立て図である。
【図７】天井埋込型スピーカシステム用取付補助装置を構成する各部材の組み立て図である。
【図８】天井埋込型スピーカシステム用取付補助装置を構成する各部材の組み立て図である。
【図９】天井埋込型スピーカシステム用取付補助装置を構成する各部材の組み立て図である。
【図１０】天井裏に配置された天井埋込型スピーカシステム用取付補助装置の平面図である。（ａ）は、長尺部材の長さがＭバーの配置間隔よりもわずかに長い場合の配置形態を示す図であり、（ｂ）は、長尺部材の長さがＭバーの配置間隔よりもかなり長い場合の配置形態を示す図である。
【図１１】従来の取付補助装置を示す斜観図である。
【図１２】図１１の取付補助装置を用いて、天井埋込型スピーカシステムを天井へ取り付けたときの状態を示す、縦断面図である。
【図１３】種々の構造の天井に図１１の取付補助装置を適用した状態を示す図である。（ａ）はＭバーの斜観図、（ｂ）はＣチャンネルの斜観図、（ｃ）は平行に配されたＭバーに天井材がビス止めされる構造の天井構造に、図１１の取付補助装置を配置したときの縦断面図、（ｄ）は、平行に配されたＭバーに天井材がビス止めされ、さらにこのＭバーの上に複数のＣチャンネルがＭバーと直交する方向に配される構造の天井構造に、図１１の取付補助装置を配置したときの縦断面図である。
【符号の説明】
１０，６０，７０，８０，９０  天井埋込型スピーカシステム用取付補助装置
１１，９１    天井補強部材
１２  平板状部
１３  開口
１４，９４    直立部
１５  スリット孔
１６  膨大部
１９，２９    ボルト
２１，５０，６１，７１    長尺部材
２２，６２    側面
２４，６４    取付孔
２５，９６    中間部材
２６  第１取付孔
２７，９７    第２取付孔
３０  鉄骨構造
３１，３４    天井材
３２，３５    開口
３３  Ｍバー
３６  Ｃチャンネル
５１  底面
５２    側面
５３    天面
６６  板状部材
６７  孔
９５  円孔
【図１】
2004266319.tif 000003
【図２】
2004266319.tif 000004
【図３】
2004266319.tif 000005
【図４】
2004266319.tif 000006
【図５】
2004266319.tif 000007
【図６】
2004266319.tif 000008
【図７】
2004266319.tif 000009
【図８】
2004266319.tif 000010
【図９】
2004266319.tif 000011
【図１０】
2004266319.tif 000012
【図１１】
2004266319.tif 000013
【図１２】
2004266319.tif 000014
【図１３】
2004266319.tif 000015